(57)【要約】【課題】広角端画角６７°程度の広画角、１００倍程度の高ズーム比で全ズーム範囲にわたり高い光学性能を有するズームレンズを得ること。【解決手段】物体側から像側へ順に、変倍の際に不動の正の屈折力の第１レンズ群、変倍用の負の屈折力の第２レンズ群、変倍用の正の屈折力の第３レンズ群、変倍に伴う像面変動を補正する負の屈折力の第４レンズ群、変倍の際に不動の正の屈折力の第５レンズ群から構成されるズームレンズにおいて、  ０．０＜Ｍ２ｍ／Ｍ２ｔ＜０．５の範囲内において  Ｌ３ｍ／Ｌ３ｗ＜１．０  を満足する前記ズーム位置ｍが存在し、  かつ、  −４.０＜ｆ４／ｆ３＜−１.０  １５＜Ｌ２ｗ／Ｌ３ｗ＜２００なる条件式を満足する。【選択図】図１
2016048319.tif 000002
【特許請求の範囲】
【請求項１】
物体側から像側へ順に、変倍の際に不動の正の屈折力の第１レンズ群、変倍用の負の屈折力の第２レンズ群、変倍用の正の屈折力の第３レンズ群、変倍に伴う像面変動を補正する負の屈折力の第４レンズ群、変倍の際に不動の正の屈折力の第５レンズ群から構成されるズームレンズにおいて、
前記第２レンズ群が広角端から望遠端に光軸方向に移動する量をＭ２ｔとし、
前記第２レンズ群が広角端から所定のズーム位置ｍまで移動する量をＭ２ｍとし、
前記所定のズーム位置ｍにおける前記第３レンズ群と前記第４レンズ群の間隔をＬ３ｍとし、
前記第３レンズ群の焦点距離をｆ３とし、
前記第４レンズ群の焦点距離をｆ４とし、
広角端における前記第２レンズ群と第３レンズ群の間隔をＬ２ｗとし、
広角端における前記第３レンズ群と第４レンズ群の間隔をＬ３ｗとしたとき、
０．０＜Ｍ２ｍ／Ｍ２ｔ＜０．５
の範囲内において、
Ｌ３ｍ／Ｌ３ｗ＜１．０
を満足する前記所定のズーム位置ｍが存在し、
かつ、
−４.０＜ｆ４／ｆ３＜−１.０
１５＜Ｌ２ｗ／Ｌ３ｗ＜２００
なる条件を満足することを特徴とするズームレンズ。
【請求項２】
前記第１レンズ群の焦点距離をｆ１とし、
前記第２レンズ群の焦点距離をｆ２とするとき、
−１１．０＜ｆ１／ｆ２＜−８．０
なる条件を満足することを特徴とする請求項１に記載のズームレンズ。
【請求項３】
−０．５＜ｆ２／ｆ３＜−０．３
なる条件を満足することを特徴とする請求項１又は請求項２に記載のズームレンズ。
【請求項４】
０．０＜Ｍ２ｍ／Ｍ２ｔ＜０．５
なる範囲内で、
前記第３レンズ群と前記第４レンズ群が最も近接したときの前記第２レンズ群と前記第３レンズ群の間隔をＬ２ｍｍｉｎとし、
前記第３レンズ群と前記第４レンズ群が最も近接したときの前記第３レンズ群と前記第４レンズ群の間隔をＬ３ｍｍｉｎとするとき、
２０＜Ｌ２ｍｍｉｎ／Ｌ３ｍｍｉｎ＜１０００
なる条件を満足することを特徴とする請求項１乃至請求項３の何れか一項に記載のズームレンズ。
【請求項５】
第４レンズ群は、少なくとも１枚の負レンズと１枚の正レンズから構成されることを特徴とする請求項１乃至請求項４の何れか一項に記載のズームレンズ。
【請求項６】
請求項１乃至請求項５の何れか一項に記載のズームレンズと、前記ズームレンズによって形成された像を受光する固体撮像素子と、を有することを特徴とする撮像装置。
【発明の詳細な説明】
【技術分野】
【０００１】
本発明は、ズームレンズ及びそれを有する撮像装置に関し、放送用テレビカメラ、ビデオカメラ、デジタルスチルカメラ、監視カメラ、銀塩写真用カメラ等に好適なものである。
【背景技術】
【０００２】
近年、テレビカメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、最も物体側に正の屈折力のレンズ群を配置した５つのレンズ群より成るポジティブリード型の５群ズームレンズが知られている（特許文献１乃至３）。
【０００３】
特許文献１乃至３の実施例では、正の屈折力の第１レンズ群、負の屈折力の第２レンズ群、正の屈折力の第３レンズ群、負の屈折力の第４レンズ群、そして結像用の正の屈折力の第５レンズ群から構成されている。そして変倍に際して第２、第３、第４レンズ群が移動するズームレンズが提案されている。
【０００４】
特許文献１では、ズーム比が５倍程度、広角端における撮影画角４３度程度までの５群ズームレンズが開示されている。特許文献２では、ズーム比が３倍程度、広角端における撮影画角３４度程度までの５群ズームレンズが開示されている。特許文献３では、ズーム比が１９倍程度、広角端における撮影画角７６度程度までの５群ズームレンズが開示されている。
【先行技術文献】
【特許文献】
【０００５】
【特許文献１】特開平１０−０３９２１６号公報
【特許文献２】特開２０１０−１９１３３６号公報
【特許文献３】特許第０３８２７２５１号公報
【発明の概要】
【発明が解決しようとする課題】
【０００６】
５群ズームレンズにおいて、広画角化及び高ズーム比化を維持しつつ、高い光学性能を得るには各レンズ群の屈折力や構成等を適切に設定することが重要になってくる。特に各変倍移動群の移動条件や屈折力等を適切に設定することが重要である。これらを適切に設定しないと、広画角かつ高ズーム比でズーム全域にわたり高い光学性能のズームレンズを得ることが難しくなってくる。
【０００７】
特に正の第１レンズ群は、７０〜１００倍程度の高ズーム比を達成しようとするとレンズ径（有効径）が増大する傾向があった。第１レンズ群の大きさや重さはレンズ全体の大型化や質量増加の主要因であり、カメラレンズの操作性に大きく影響する。このため、第１レンズ群の小型軽量化が重要となってきている。
【０００８】
本発明は、広角端画角６０°〜７０°程度の広画角、７０〜１００倍程度の高ズーム比でしかもズーム全域にわたり高い光学性能を有するズームレンズ及びそれを有する撮像装置の提供することを目的とする。
【課題を解決するための手段】
【０００９】
本発明の構成は、物体側から像側へ順に、変倍の際に不動の正の屈折力の第１レンズ群、変倍用の負の屈折力の第２レンズ群、変倍用の正の屈折力の第３レンズ群、変倍に伴う像面変動を補正する負の屈折力の第４レンズ群、変倍の際に不動の正の屈折力の第５レンズ群から構成されるズームレンズにおいて、
第２レンズ群が広角端から望遠端に光軸方向に移動する量をＭ２ｔとし、
第２レンズ群が広角端から所定のズーム位置ｍまで移動する量をＭ２ｍとし、
所定のズーム位置ｍにおける第３レンズ群と第４レンズ群の間隔をＬ３ｍとし、
第３レンズ群の焦点距離をｆ３とし、
第４レンズ群の焦点距離をｆ４とし、
広角端における第２レンズ群と第３レンズ群の間隔をＬ２ｗとし、
広角端における第３レンズ群と第４レンズ群の間隔をＬ３ｗとしたとき、
０．０＜Ｍ２ｍ／Ｍ２ｔ＜０．５
の範囲内において、
Ｌ３ｍ／Ｌ３ｗ＜１．０
を満足する所定のズーム位置ｍが存在し、
かつ、
−４.０＜ｆ４／ｆ３＜−１.０
１５＜Ｌ２ｗ／Ｌ３ｗ＜２００
なる条件式を満足することを特徴としている。
【発明の効果】
【００１０】
本発明によれば、広画角、高ズーム比でしかも全ズーム範囲にわたり高い光学性能を有するズームレンズ及びそれを有する撮像装置が得られる。
【図面の簡単な説明】
【００１１】
【図１】実施例１のズームレンズの広角端におけるレンズ断面図である。
【図２】（Ａ）、（Ｂ）、（Ｃ）は実施例１の広角端、焦点距離２１．８ｍｍ、望遠端における収差図である。
【図３】実施例２のズームレンズの広角端におけるレンズ断面図である。
【図４】（Ａ）、（Ｂ）、（Ｃ）は実施例２の広角端、焦点距離１３．８ｍｍ、望遠端における収差図である。
【図５】実施例３のズームレンズの広角端におけるレンズ断面図である。
【図６】（Ａ）、（Ｂ）、（Ｃ）は実施例３の広角端、焦点距離１６．５ｍｍ、望遠端における収差図である。
【図７】実施例４のズームレンズの広角端におけるレンズ断面図である。
【図８】（Ａ）、（Ｂ）、（Ｃ）は実施例４の広角端、焦点距離１４．９ｍｍ、望遠端における収差図である。
【図９】実施例５のズームレンズの広角端におけるレンズ断面図である。
【図１０】（Ａ）、（Ｂ）、（Ｃ）は実施例５の広角端、焦点距離１０．６ｍｍ、望遠端における収差図である。
【図１１】実施例６のズームレンズの広角端におけるレンズ断面図である。
【図１２】（Ａ）、（Ｂ）、（Ｃ）は実施例６の広角端、焦点距離１６．２ｍｍ、望遠端における収差図である。
【図１３】（Ａ）、（Ｂ）  本発明のズームレンズの模式図と、４群ズームレンズの模式図である。
【図１４】４群ズームレンズの近軸原理の概略図である。
【図１５】本発明の近軸原理の概略図である。
【図１６】本発明の撮像装置の要部概略図である。
【発明を実施するための形態】
【００１２】
以下に本発明の実施の形態を添付の図面に基づいて詳細に説明する。
【００１３】
本発明のズームレンズは、物体側から像側へ順に、変倍の際に不動の正の屈折力の第１レンズ群、変倍用の負の屈折力の第２レンズ群、変倍用の正の屈折力の第３レンズ群、変倍に伴う像面変動を補正する負の屈折力の第４レンズ群を有する。更に変倍のためには不動の正の屈折力の第５レンズ群から構成されている。
【００１４】
図１は本発明の実施例１としての数値実施例１の広角端（短焦点距離端）で、無限遠物体に合焦しているときのレンズ断面図である。図２（Ａ）、（Ｂ）、（Ｃ）は、数値実施例１の広角端、ｆ＝２１．８ｍｍ、望遠端（長焦点距離端）における無限遠物体に合焦しているときの縦収差図である。
【００１５】
図３は本発明の実施例２としての数値実施例２の広角端で、無限遠物体に合焦しているときのレンズ断面図である。図４（Ａ）、（Ｂ）、（Ｃ）は、数値実施例２の広角端、ｆ＝１３．８ｍｍ、望遠端における無限遠物体に合焦しているときの縦収差図である。
【００１６】
図５は本発明の実施例３としての数値実施例３の広角端で、無限遠物体に合焦しているときのレンズ断面図である。図６（Ａ）、（Ｂ）、（Ｃ）は、数値実施例３の広角端、ｆ＝１６．５ｍｍ、望遠端における無限遠物体に合焦しているときの縦収差図である。
【００１７】
図７は本発明の実施例４としての数値実施例４の広角端で、無限遠物体に合焦しているときのレンズ断面図である。図８（Ａ）、（Ｂ）、（Ｃ）は、数値実施例４の広角端、ｆ＝１４．９ｍｍ、望遠端における無限遠物体に合焦しているときの縦収差図である。
【００１８】
図９は本発明の実施例５としての数値実施例５の広角端で、無限遠物体に合焦しているときのレンズ断面図である。図１０（Ａ）、（Ｂ）、（Ｃ）は、数値実施例５の広角端、ｆ＝１０．６ｍｍ、望遠端における無限遠物体に合焦しているときの縦収差図である。
【００１９】
図１１は本発明の実施例６としての数値実施例６の広角端で、無限遠物体に合焦しているときのレンズ断面図である。図１２（Ａ）、（Ｂ）、（Ｃ）は、数値実施例６の広角端、ｆ＝１６．２ｍｍ、望遠端における無限遠物体に合焦しているときの縦収差図である。
【００２０】
図１３(Ａ)、(Ｂ)は本発明のズームレンズの模式図と、４群ズームレンズの近軸屈折力配置の模式図である。各レンズ断面図において、左方が物体（被写体）側で、右方が像側である。Ｕ１は変倍の際に不動の正の屈折力の第１レンズ群である。Ｕ２は変倍用の負の屈折力の第２レンズ群であり、光軸上を移動させることにより、変倍を行っている。Ｕ３は変倍用の正の屈折力の第３レンズ群であり、光軸上を移動させることにより、変倍を行っている。
【００２１】
Ｕ４は負の屈折力の第４レンズ群であり、変倍に伴う像面変動を補正するために光軸上を移動する。ＳＰは開口絞り、Ｕ５は変倍の際に不動の結像作用を有する正の屈折力の第５レンズ群（リレー群）である。第５レンズ群Ｕ５内には、焦点距離変換用のコンバータ（エクステンダ）等が装着されても良い。
【００２２】
各収差図において、球面収差における直線と破線は各々ｅ線，ｇ線である。非点収差における実線と一点鎖線は各々サジタル像面，メリディオナル像面であり、倍率色収差はｇ線によって表している。ωは近軸での半画角、ＦｎｏはＦナンバーである。
【００２３】
各実施例のズームレンズは、広角端における各レンズ群の屈折力配置及び第２レンズ群、第３レンズ群、第４レンズ群の変倍に際しての移動軌跡を規定している。これにより、広画角、高ズーム比化を達成しながら第１レンズ群Ｕ１の小型軽量化を効果的に行っている。
【００２４】
具体的には、第２レンズ群が広角端から望遠端にかけて光軸方向に移動する量をＭ２ｔとする。第２レンズ群が広角端から所定のズーム位置ｍまで移動する量をそれぞれＭ２ｍとする。ズーム位置ｍにおける第３レンズ群と第４レンズ群の間隔をＬ３ｍとする。第３レンズ群の焦点距離をｆ３とする。第４レンズ群の焦点距離をｆ４とする。広角端における第２レンズ群と第３レンズ群の間隔をＬ２ｗとする。広角端における第３レンズ群と第４レンズ群の間隔をＬ３ｗとする。
【００２５】
このとき、
０．０＜Ｍ２ｍ／Ｍ２ｔ＜０．５        ・・・（１）
の範囲内において
Ｌ３ｍ／Ｌ３ｗ＜１．０                ・・・（Ｘ）
を満足する所定のズーム位置ｍが存在し、
かつ、
−４．０＜ｆ４／ｆ３＜−１．０    ・・・（２）
１５＜Ｌ２ｗ／Ｌ３ｗ＜２００      ・・・（３）
なる条件式を満足している。
【００２６】
各実施例において、変倍に際しての各レンズ群の移動軌跡を図１３（Ａ）、（Ｂ）を用いて説明する。図１３（Ａ）に示す本発明の５群ズームレンズと図１３（Ｂ）に示す４群ズームレンズとの対比を明確にするために、図１３（Ａ）では第１レンズ群乃至第５レンズ群をＵ１乃至Ｕ５と表示している。図１３（Ｂ）では第１レンズ群乃至第４レンズ群をＵ１Ｂ乃至Ｕ４Ｂと表示している。
【００２７】
本発明の各実施例のズームレンズでは、図１３(Ａ)に示すように物体側から像側へ順に第１〜第５レンズ群より構成されている。具体的には変倍の際に固定の正の屈折力の第１レンズ群Ｕ１を有する。変倍用の負の屈折力の第２レンズ群Ｕ２、正の屈折力の第３レンズ群Ｕ３、変倍に伴う像面変動を補正する負の屈折力の第４レンズ群Ｕ４を有する。変倍の際に固定の正の屈折力の第５レンズ群Ｕ５を有し、Ｕ１〜Ｕ５により構成されている。
【００２８】
図１３(Ｂ)に示すように、４群ズームレンズの第３レンズ群Ｕ３Ｂの移動軌跡は、第２群Ｕ２Ｂの変倍移動に伴う像点補正のために一意に決定される。第２レンズ群Ｕ２Ｂが広角端から望遠端への変倍に伴い直線的に移動する際、第３レンズ群Ｕ３Ｂは物体側へ非直線的に移動する。図１４（Ａ）（Ｂ）に示すように、４群ズームレンズでは、変倍に際し、広角側のズーム中間位置である焦点距離ｆｍ近傍において、第１レンズ群Ｕ１Ｂにおける軸外主光線入射高Ｈ’が最も高くなる。図１４（Ａ）が広角端、（Ｂ）がｆｍ近傍でのレンズ配置の概念図を示している。
【００２９】
一方、図１３(Ａ)に示すように、本発明の各実施例における５群ズームレンズでは、各変倍レンズ群の前記移動軌跡を適切に設定することにより、第１レンズ群の有効径を抑制している。
【００３０】
図１５（Ａ）（Ｂ）に、本発明の５群ズームレンズの概念図を比較例とともに示す。図１５（Ａ）（Ｂ）において、本実施例と比較例は共に各レンズ群の屈折力が等しく、変倍移動軌跡のみが異なる。比較例は変倍に際し第３レンズ群と第４レンズ群が同一の軌跡で移動し、４群ズームレンズと等価とした例である。図１５（Ａ）（Ｂ）において、実線は本発明における変倍移動群の軌跡、一点鎖線は比較例の変倍移動群の移動軌跡を示す。図１５（Ａ）（Ｂ）ともに、本発明と比較例の全系の焦点距離は同一である。
【００３１】
図１５（Ａ）は広角端であり、本発明および比較例のレンズ配置は等しい。図１５（Ｂ）はズーム位置ｍであり、本発明は比較例に対し第１レンズ群と第２レンズ群の間隔、および第３レンズ群と第４レンズ群の間隔が狭くなっている。
【００３２】
図１５（Ｂ）に示すように、第１レンズ群における軸外主光線入射高Ｈ’が最も高くなる広角側のズーム位置ｍにおいて、第１レンズ群Ｕ１と第２レンズ群Ｕ２の間隔を小さくすることにより、前記Ｈ’を小さくして第１レンズ群の有効径を抑制している。
【００３３】
本発明の実施例の５群ズームレンズにおいて、所定のズーム位置ｍにおける焦点距離ｆｍは、第１レンズ群の焦点距離をｆ１、第Ｎレンズ群（Ｎ＝１〜５）のズーム位置ｍにおける横倍率をβＮｍとしたとき、以下の式で表すことができる。
【００３４】
ｆｍ＝ｆ１×（β２ｍ×β３ｍ×β４ｍ×β５ｍ）  ・・・（Ｙ）
ただし、各横倍率および焦点距離は、物体距離無限遠での値である。
あわせて、ズームレンズであることから、変倍に関わらず像点が一定の条件を満たす必要がある。
【００３５】
また、第５レンズ群は変倍の際に不動であることから横倍率β５ｍは変倍に際し変化しない。したがって、所定のｆｍを得るためには（β２ｍ×β３ｍ×β４ｍ）が一定であればよいが、その条件を達成可能なレンズ配置は一義的に決まらないため、所定の範囲で各変倍移動群の移動軌跡を選択可能である。
【００３６】
第１レンズ群Ｕ１と第２レンズ群Ｕ２の間隔を狭めることは、｜β２ｍ｜を小さくすることに相当する。そこで本発明の実施例では、広角側の変倍域において、第１レンズ群Ｕ１と第２レンズ群Ｕ２の間隔を狭めながら、第３レンズ群と第４レンズ群の間隔を狭めることにより、全系の像点を一定に保ち、かつβ３ｍ×β４ｍを増大させる光学配置としている。
【００３７】
第２レンズ群Ｕ２の移動量を抑制すると式（Ｙ）における横倍率β２ｍの絶対値は小さくなるため、ｆｍを一定にするためにはβ３ｍ×β４ｍを増大させる必要がある。
【００３８】
ここで、焦点距離がそれぞれｆａ、ｆｂ、主点間隔がｅ’である２つのレンズの合成焦点距離ｆａｂは以下の式で表すことができる。
【００３９】
１／ｆａｂ＝１／ｆａ＋１／ｆｂ−ｅ’／（ｆａ×ｆｂ）  ・・・（Ｚ）
したがって、ｆａ＞０、ｆｂ＜０、ｅ’＞０の場合、主点間隔ｅ’を小さくするとｆａｂは正に増大する。
【００４０】
本実施例では、広角側の変倍域において第３レンズ群Ｕ３と第４レンズ群Ｕ４の間隔を広角端よりも狭め、（Ｚ）式に従ってＵ３とＵ４の合成焦点距離を正に増大させている。これにより、Ｕ３とＵ４の合成横倍率β３ｍ×β４ｍを増大し、かつ全系の像点を不動としている。
【００４１】
本実施例において、広角端から所定の焦点距離ｆｍまで変倍した際の第２レンズ群の移動量をＭ２ｍとし、広角端から望遠端まで変倍した際に第２レンズ群が移動する量をＭ２ｔとする。各実施例において、０＜Ｍ２ｍ／Ｍ２ｔ＜０．５となる範囲内で、第３、４レンズ群が最も近接するズーム位置をズーム中間焦点距離として各数値実施例に記載する。また、ズーム中間焦点距離、広角端、望遠端での縦収差図を各実施例に対応する図面に記載している。
【００４２】
条件式（１）は、広角端および所定のズーム中間位置ｍにおけるそれぞれの第３、４レンズ群間隔Ｌ３ｗ、Ｌ３ｍにおいて、Ｌ３ｍ／Ｌ３ｗ＜１．０を満たすズーム位置ｍが存在する範囲に関する。条件式（１）を満足することで、主に第１レンズ群Ｕ１の小型軽量化を図っている。
【００４３】
条件式（１）を満足しないと、Ｈ’が最も高くなる焦点距離において、第３、４レンズ群が担う横倍率が小さくなってしまい、第２レンズ群Ｕ２の移動量が抑制できない。結果として、Ｈ’が効果的に抑制できないため、第１レンズ群Ｕ１の小型軽量化が充分でなく、好ましくない。
【００４４】
条件式（２）は第３レンズ群Ｕ３の焦点距離ｆ３と第４レンズ群Ｕ４の焦点距離ｆ４との比に関する。条件式（２）を満足することで、高ズーム比化とレンズ全系の小型化を図っている。
【００４５】
条件式（２）の上限値を上回ると、第４レンズ群Ｕ４の負の屈折力が強くなるため、望遠側で第１レンズ群Ｕ１の光束有効径が増大してしまい、好ましくない。
【００４６】
条件式（２）の下限値を下回ると、第３レンズ群Ｕ３の正の屈折力が強くなるため、曲率が大きくなることにより高次の収差が増大してしまい、ズーム時に収差の変動が大きくなるため好ましくない。
【００４７】
条件式（３）は広角端における第２レンズ群Ｕ２と第３レンズ群Ｕ３の空気間隔Ｌ２ｗと、広角端における第３レンズ群Ｕ３と第４レンズ群Ｕ４の空気間隔Ｌ３ｗの比に関する。条件式（３）を満足することで、広画角化と高ズーム比化を図っている。
【００４８】
条件式（３）の上限値を上回ると、広角端において第３レンズ群Ｕ３と第４レンズ群Ｕ４の間隔が小さくなりすぎるため、第３レンズ群Ｕ３と第４レンズ群Ｕ４が接触する可能性があり、好ましくない。また、広角端において第２レンズ群Ｕ２と第３レンズ群Ｕ３の間隔が大きくなりすぎるため、全系の小型化に不利となるため、好ましくない。条件式（３）の下限値を下回ると、第２レンズ群Ｕ２の変倍に関する移動量が少なくなってしまい、十分なズーム比を得ることが困難となり、好ましくない。
【００４９】
更に好ましくは条件式（１ａ）乃至（３ａ）の数値範囲を次の如く設定するのが良い。
【００５０】
０．１＜Ｍ２ｍ／Ｍ２ｔ＜０．３          ・・・（１ａ）
−３．２＜ｆ４／ｆ３＜−１．５          ・・・（２ａ）
２５＜Ｌ２ｗ／Ｌ３ｗ＜６０              ・・・（３ａ）
更に、第１レンズ群Ｕ１、第２レンズ群Ｕ２、第３レンズ群Ｕ３の焦点距離をｆ１、ｆ２、ｆ３とする。条件式（１）を満たす範囲内で第３、４レンズ群が最も近接したときの第２、３レンズ群間隔と第３、４レンズ群間隔をそれぞれＬ２ｍｍｉｎ、Ｌ３ｍｍｉｎとする。このとき、
−１１．０＜ｆ１／ｆ２＜−８．０            ・・・（４）
−０．５＜ｆ２／ｆ３＜−０．３              ・・・（５）
２０＜Ｌ２ｍｍｉｎ／Ｌ３ｍｍｉｎ＜１０００  ・・・（６）
なる条件のうち１以上を満足するのが良い。
【００５１】
条件式（４）は第１レンズ群Ｕ１の焦点距離ｆ１と第２レンズ群Ｕ２の焦点距離ｆ２の比に関する。条件式（４）を満足することで、高ズーム比化とレンズ全系の小型化を図っている。
【００５２】
条件式（４）の上限値を上回ると、第１レンズ群Ｕ１の焦点距離ｆ１に対して第２レンズ群Ｕ２の焦点距離ｆ２が相対的に長くなりすぎ、ズーム比を大きくすることが難しい近軸配置となるため、高ズーム比化と全系の小型化が困難となり、好ましくない。条件式（４）の下限値を下回ると、第２レンズ群Ｕ２の焦点距離ｆ２に対して第１レンズ群Ｕ１の焦点距離ｆ１が相対的に長くなりすぎ、ズーム比を稼ぐために第２レンズ群が要する移動量が大きくなってしまい、全系の小型化に不利となり、好ましくない。
【００５３】
条件式（５）は、第２レンズ群Ｕ２の焦点距離ｆ２と第３レンズ群Ｕ３の焦点距離ｆ３との比に関する。条件式（５）を満足することで、変倍群のズームに伴う移動量の抑制を図っている。
【００５４】
条件式（５）の上限値を上回ると、第２レンズ群Ｕ２の焦点距離ｆ２に対して第３レンズ群Ｕ３の焦点距離ｆ３が相対的に長くなりすぎ、ズーム時に第３レンズ群が要する移動量が大きくなってしまい、全系の小型化に不利となる。条件式（５）の下限値を下回ると、第３レンズ群Ｕ３の焦点距離ｆ３に対して第２レンズ群Ｕ２の焦点距離ｆ２が相対的に長くなりすぎ、ズーム時に第２レンズ群が要する移動量が大きくなってしまい、全系の小型化に不利となる。
【００５５】
条件式（６）は、広角端における第３、４レンズ群間隔と条件式（１）を満たす範囲内で第３、４レンズ群が最も近接したときの第３、４レンズ群間隔とに関する。
【００５６】
条件式（６）の上限値を上回ると、条件式（１）を満たす範囲内で第３、４レンズ群が最も近接したときの第３、４レンズ群間隔Ｌ３ｍｍｉｎが小さくなりすぎる。高速でレンズ群を駆動する場合にレンズ群同士が干渉する可能性があり、製造上好ましくない。条件式（６）の下限値を下回ると、条件式（１）を満たす範囲内で第３、４レンズ群が最も近接したときの第３、４レンズ群間隔Ｌ３ｍｍｉｎが大きくなりすぎ、第１レンズ群Ｕ１の小型軽量化の効果が薄れるため、好ましくない。
【００５７】
第３レンズ群Ｕ３に少なくとも１面の非球面を有するのが好ましい。変倍に際して自由に移動することができる第３レンズ群Ｕ３に非球面を配置することで、変倍によるコマ収差等の軸外収差の変動を効果的に補正することが容易になる。
【００５８】
第４レンズ群Ｕ４は、少なくとも１つの負レンズと１つの正レンズによって構成されることが好ましい。変倍に際して像面補正のために移動する第４レンズ群に凹レンズと凸レンズを用いることで、変倍による諸収差の変動、特に色収差の変動を効果的に補正することが容易になる。
【００５９】
更に好ましくは、条件式（４ａ）乃至条件式（６ａ）の数値範囲を次の如く設定するのが良い。
【００６０】
−１０．０＜ｆ１／ｆ２＜−９．０            ・・・（４ａ）
−０．３９＜ｆ２／ｆ３＜−０．４５          ・・・（５ａ）
３０＜Ｌ２ｍｍｉｎ／Ｌ３ｍｍｉｎ＜８０      ・・・（６ａ）
以下に本発明のズームレンズの数値実施例１乃至６のレンズ構成の特徴を説明する。各実施例のレンズ断面図において、ＤＧは色分解プリズムや光学フィルタ−等であり、該当の図ではガラスブロックとして示している。ＩＰは像面であり、固体撮像素子の撮像面に相当している。
【００６１】
［実施例１］
数値実施例１に対応する実施例１における変倍に際しての移動レンズ群である第２レンズ群Ｕ２、第３レンズ群Ｕ３、第４レンズ群Ｕ４について説明する。第２レンズ群Ｕ２は、数値実施例１において第１１レンズ面〜第１７レンズ面に対応し、物体側から像側へ順に、２枚の負レンズと、正レンズと負レンズがこの順に貼り合わされた接合レンズにて構成されている。
【００６２】
第３レンズ群Ｕ３は、数値実施例１において第１８レンズ面〜第２６レンズ面に対応し、物体側から像側へ順に、２枚の正レンズと、正レンズと負レンズがこの順に貼り合わされた接合レンズ、正レンズにて構成されている。
【００６３】
第４レンズ群Ｕ４は、数値実施例１において第２７レンズ面〜第２９レンズ面に対応し、物体側から像側へ順に、負レンズと正レンズがこの順に貼り合わされた接合レンズにて構成されている。
【００６４】
非球面は第１１レンズ面、第１８レンズ面、第２６レンズ面に各々用いられている。第１１レンズ面は主に広角側の歪曲収差の補正、第１８レンズ面は広角側のコマ収差等の軸外収差の補正、第２６レンズ面は望遠側の球面収差の補正を行っている。
【００６５】
本実施例の各条件式の対応値を表１に示す。本数値実施例はいずれの条件式も満足しており、良好な光学性能を達成しつつ、広角端の焦点距離９ｍｍ、ズーム比１００倍の広画角、高ズーム比ながら第１レンズ群Ｕ１の最も物体側のレンズ径が１９６．３６ｍｍと小型軽量化を図っている。
【００６６】
［実施例２］
数値実施例２に対応する実施例２における変倍に際しての移動レンズ群である第２レンズ群Ｕ２、第３レンズ群Ｕ３、第４レンズ群Ｕ４について説明する。第２レンズ群Ｕ２は、数値実施例２において第１１レンズ面〜第１８レンズ面に対応し、物体側から像側へ順に、２枚の負レンズと、正レンズと、負レンズにて構成されている。
【００６７】
第３レンズ群Ｕ３は、数値実施例２において第１９レンズ面〜第２７レンズ面に対応し、物体側から像側へ順に、２枚の正レンズと、負レンズと正レンズがこの順に貼り合わされた接合レンズと、正レンズにて構成されている。
【００６８】
第４レンズ群Ｕ４は、数値実施例２において第２８レンズ面〜第２９レンズ面に対応し、負レンズにて構成されている。
【００６９】
非球面は第１１レンズ面、第２２レンズ面、第２７レンズ面に各々用いられている。第１１レンズ面は主に広角側の歪曲収差の補正、第２２レンズ面は広角側のコマ収差等の軸外収差の補正、第２７レンズ面は望遠側の球面収差の補正を行っている。
【００７０】
本実施例は、第４レンズ群が１枚の負レンズからの構成ながら、表１に示すようにいずれの条件式も満足しており、良好な光学性能を達成している。かつ、広角端の焦点距離８．９ｍｍ、ズーム比９０倍の広画角、高ズーム比ながら第１レンズ群Ｕ１の最も物体側のレンズ径が１９５．３７ｍｍと小型軽量化を図っている。
【００７１】
［実施例３］
数値実施例３に対応する実施例３における変倍に際しての移動レンズ群である第２レンズ群Ｕ２、第３レンズ群Ｕ３、第４レンズ群Ｕ４について説明する。第２レンズ群Ｕ２は、数値実施例３において第１１レンズ面〜第１７レンズ面に対応し、物体側から像側へ順に、２枚の負レンズと、正レンズと負レンズがこの順に貼り合わされた接合レンズにて構成されている。
【００７２】
第３レンズ群Ｕ３は、数値実施例３において第１８レンズ面〜第２６レンズ面に対応し、物体側から像側へ順に、２枚の正レンズと、正レンズと負レンズがこの順に貼り合わされた接合レンズと、正レンズにて構成されている。
【００７３】
第４レンズ群Ｕ４は、数値実施例３において第２７レンズ面〜第２９レンズ面に対応し、物体側から像側へ順に、負レンズと正レンズがこの順に貼り合わされた接合レンズにて構成されている。
【００７４】
非球面は第１１レンズ面、第１８レンズ面、第２６レンズ面に各々用いられている。第１１レンズ面は主に広角側の歪曲収差の補正、第１８レンズ面は広角側のコマ収差等の軸外収差の補正、第２６レンズ面は望遠側の球面収差の補正を行っている。
【００７５】
本実施例の各条件式の対応値を表１に示す。本数値実施例はいずれの条件式も満足しており、良好な光学性能を達成しつつ、広角端の焦点距離８．７ｍｍ、ズーム比８０倍の広画角、高ズーム比ながら第１レンズ群Ｕ１の最も物体側のレンズ径が１９４．２２ｍｍと小型軽量化を図っている。
【００７６】
［実施例４］
数値実施例４に対応する実施例４における変倍に際しての移動レンズ群である第２レンズ群Ｕ２、第３レンズ群Ｕ３、第４レンズ群Ｕ４について説明する。第２レンズ群Ｕ２は、数値実施例４において第１１レンズ面〜第１７レンズ面に対応し、物体側から像側へ順に、２枚の負レンズと、正レンズと負レンズがこの順に貼り合わされた接合レンズにて構成されている。
【００７７】
第３レンズ群Ｕ３は数値実施例４において第１８レンズ面〜第２６レンズ面に対応する。物体側から像側へ順に、２枚の正レンズと、正レンズと負レンズがこの順に貼り合わされた接合レンズと、正レンズにて構成されている。
【００７８】
第４レンズ群Ｕ４は、数値実施例４において第２７レンズ面〜第２９レンズ面に対応し、物体側から像側へ順に、正レンズと負レンズがこの順に貼り合わされた接合レンズにて構成されている。
【００７９】
非球面は第１１レンズ面、第１８レンズ面、第２６レンズ面に各々用いられている。第１１レンズ面は主に広角側の歪曲収差の補正、第１８レンズ面は広角側のコマ収差等の軸外収差の補正、第２６レンズ面は望遠側の球面収差の補正を行っている。
【００８０】
本実施例の各条件式の対応値を表１に示す。本数値実施例はいずれの条件式も満足しており、良好な光学性能を達成しつつ、広角端の焦点距離８．８ｍｍ、ズーム比９５倍の広画角、高ズーム比ながら第１レンズ群Ｕ１の最も物体側のレンズ径が１９８．０４ｍｍと小型軽量化を図っている。
【００８１】
［実施例５］
数値実施例５に対応する実施例５における変倍に際しての移動レンズ群である第２レンズ群Ｕ２、第３レンズ群Ｕ３、第４レンズ群Ｕ４について説明する。第２レンズ群Ｕ２は、数値実施例５において第１１レンズ面〜第１７レンズ面に対応し、物体側から像側へ順に、２枚の負レンズと、正レンズと負レンズがこの順に貼り合わされた接合レンズにて構成されている。
【００８２】
第３レンズ群Ｕ３は数値実施例５において第１８レンズ面〜第２６レンズ面に対応する。物体側から像側へ順に、２枚の正レンズと、正レンズと負レンズがこの順に貼り合わされた接合レンズと、正レンズにて構成されている。
【００８３】
第４レンズ群Ｕ４は、数値実施例５において第２７レンズ面〜第２９レンズ面に対応し、物体側から像側へ順に、負レンズと正レンズがこの順に貼り合わされた接合レンズにて構成されている。
【００８４】
非球面は第１１レンズ面、第１８レンズ面、第２６レンズ面に各々用いられている。第１１レンズ面は主に広角側の歪曲収差の補正、第１８レンズ面は広角側のコマ収差等の軸外収差の補正、第２６レンズ面は望遠側の球面収差の補正を行っている。
【００８５】
本実施例の各条件式の対応値を表１に示す。本数値実施例はいずれの条件式も満足しており、良好な光学性能を達成しつつ、広角端の焦点距離８．３ｍｍ、ズーム比８５倍の広画角、高ズーム比ながら第１レンズ群Ｕ１の最も物体側のレンズ径が２０６．６２ｍｍと小型軽量化を図っている。
【００８６】
［実施例６］
数値実施例６に対応する実施例６における変倍に際しての移動レンズ群である第２レンズ群Ｕ２、第３レンズ群Ｕ３、第４レンズ群Ｕ４について説明する。第２レンズ群Ｕ２は、数値実施例６において第１１レンズ面〜第１７レンズ面に対応し、物体側から像側へ順に、負レンズと、負レンズと正レンズがこの順に貼り合わされた接合レンズと、負レンズにて構成されている。
【００８７】
第３レンズ群Ｕ３は、数値実施例６において第１８レンズ面〜第２６レンズ面に対応し、物体側から像側へ順に、２枚の正レンズと、負レンズと正レンズがこの順に貼り合わされた接合レンズと、正レンズにて構成されている。
【００８８】
第４レンズ群Ｕ４は、数値実施例において第２７レンズ面〜第２９レンズ面に対応し、物体側から像側へ順に、負レンズと正レンズがこの順に貼り合わされた接合レンズにて構成されている。
【００８９】
非球面は第１１レンズ面、第１９レンズ面、第２６レンズ面に各々用いられている。第１１レンズ面は主に広角側の歪曲収差の補正、第１９レンズ面は広角側のコマ収差等の軸外収差の補正、第２６レンズ面は望遠側の球面収差の補正を行っている。
【００９０】
本実施例の各条件式の対応値を表１に示す。本数値実施例はいずれの条件式も満足しており、良好な光学性能を達成しつつ、広角端の焦点距離９．５ｍｍ、ズーム比７２倍の広画角、高ズーム比ながら第１レンズ群Ｕ１の最も物体側のレンズ径が１９０．００ｍｍと小型軽量化を図っている。
【００９１】
図１５は、本発明の実施例１〜６のズームレンズを撮影光学系として用いた撮像装置（テレビカメラシステム）の要部概略図である。図１６において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１群Ｆ、変倍部ＬＺ、結像用の第５レンズ群Ｒを有している。第１レンズ群Ｆは合焦用レンズ群が含まれている。
【００９２】
変倍部ＬＺは変倍のために光軸上を移動する第２レンズ群と第３レンズ群と、変倍に伴う像面変動を補正するために光軸上を移動する第４レンズ群が含まれている。ＳＰは開口絞りである。第５レンズ群Ｒは光路中より挿抜可能なレンズユニットＩＥ’、ＩＥを有している。レンズユニットＩＥ、ＩＥ’を切り替えることで、ズームレンズ１０１の全系の焦点距離範囲を変位している。１１４、１１５は各々第１群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。
【００９３】
１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００９４】
このように本発明のズームレンズをテレビカメラに適用することにより、高い光学性能を有する撮像装置を実現している。
【００９５】
以上、本発明の好ましい実施形態について説明したが、本発明はこれらの実施形態に限定されず、その要旨の範囲内で種々の変形及び変更が可能である。
【００９６】
次に本発明の実施例１〜６に対応する数値実施例１〜６を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。最後の３つの面はフィルタ等の硝子ブロックである。焦点距離、Ｆナンバー、画角は、それぞれ無限遠物体に焦点を合わせたときの値を表している。ＢＦはガラスブロックの最終面から像面までの距離を空気換算した値である。
【００９７】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
【００９８】
ｘ＝（ｙ２／ｒ）／｛１＋（１−ｋ・ｙ２／ｒ２）０．５｝＋A４・ｙ４＋A６・ｙ６＋A８・ｙ８＋A１０・ｙ１０＋A１２・ｙ１２
各実施例と前述した各条件式との対応を表１に示す。
【００９９】
（数値実施例１）
単位 mm
面データ
面番号       r        d      nd         vd       有効径
1       6632.596    6.00   1.83400    37.2      196.36
2        334.796    2.00                        196.80
3        343.280   25.00   1.43387    95.1      197.89
4       -780.988   25.00                        198.75
5        369.958   26.50   1.43387    95.1      202.95
6       -705.086    0.10                        202.73
7        221.685   19.00   1.43387    95.1      196.95
8        668.299    1.48                        195.63
9        198.633   16.50   1.49700    81.5      187.15
10        403.481  (可変)                        184.63
11*      -491.871    2.20   2.00330    28.3       43.47
12         47.800    8.30                         38.48
13        -53.712    1.45   1.88300    40.8       37.97
14        115.319    0.91                         38.31
15        115.945    7.09   0.00000    17.5       38.70
16        -58.404    2.20   1.77250    49.6       38.77
17        604.584  (可変)                         39.22
18*        85.681   15.35   1.49700    81.5       81.49
19       -277.955    0.50                         81.51
20        145.870   11.40   1.49700    81.5       80.23
21       -226.294    0.10                         79.59
22        147.516   11.53   1.43875    94.9       74.25
23       -171.258    1.95   1.84666    23.8       72.51
24        378.364    1.00                         69.92
25        127.931    6.51   1.49700    81.5       67.97
26*      -484.294  (可変)                         66.79
27          ∞       1.60   1.88300    40.8       47.48
28         68.461    4.70   1.80809    22.8       45.45
29        169.071  (可変)                         44.63
30(絞り)    ∞        5.00                         29.36
31        -84.706    1.70   1.88300    40.8       27.68
32         68.204    4.55   1.80809    22.8       27.40
33        -68.232    2.00                         27.31
34        -38.899    1.80   1.88300    40.8       26.87
35         45.379    4.50   1.80809    22.8       27.65
36        492.460    7.00                         28.04
37       -287.220    2.00   1.72047    34.7       30.15
38         28.523   10.52   1.51633    64.1       31.85
39        -49.127    0.20                         33.21
40        970.953   16.24   1.62041    60.3       34.43
41       -188.388    5.00                         37.69
42         94.144    9.07   1.53172    48.8       39.50
43        -44.166    1.00                         39.49
44        146.691    2.00   1.88300    40.8       35.36
45         27.695   10.32   1.51633    64.1       32.64
46       -139.287    1.00                         31.79
47       -195.214    5.65   1.48749    70.2       31.21
48        -55.200    2.00   1.83400    37.2       30.21
49       -100.099    1.20                         29.96
50        184.987    4.00   1.48749    70.2       28.75
51       -249.083   10.00                         27.73
52          ∞      33.00   1.60859    46.4       60.00
53          ∞      13.20   1.51633    64.2       60.00
54          ∞      10.00                         60.00
像面        ∞   
非球面データ
第11面
K = 3.87001e-008  A 4= 5.69989e-007  A 6= 1.81982e-010  A 8=-9.29556e-013  A10= 2.42966e-015  A12=-2.23609e-018  
第18面
K = 0.00000e+000  A 4= 3.41822e-008  A 6= 3.56974e-011  A 8=-3.98779e-014  A10= 1.66029e-017  A12=-3.66398e-021  
第26面
K = 0.00000e+000  A 4= 1.07577e-006  A 6= 2.28913e-010  A 8=-2.56816e-013  A10= 2.63089e-016  A12=-7.95027e-020  
各種データ
ズーム比    100.00 
広角     中間     望遠
焦点距離       9.00    21.85   900.00  
Fナンバー      1.84     1.84     4.59  
半画角         31.43    14.13     0.35  
像高           5.50     5.50     5.50  
レンズ全長   651.84   651.84   651.84  
BF            10.00    10.00    10.00  
d10            1.50    69.66   189.21  
d17          280.94   193.65    10.33  
d26            4.53     2.90    65.35  
d29            3.54    24.32    25.63  
入射瞳位置   129.46   289.90   12913.77  
射出瞳位置   627.22   627.22   627.22  
前側主点位置 138.59   312.52   15126.10  
後側主点位置   1.00   -11.85  -890.00  
ズームレンズ群データ
群  始面    焦点距離  レンズ構成長  前側主点位置  後側主点位置
1    1     250.00       121.58        68.42        -20.06
2   11     -25.70        22.15         3.44        -12.14
3   18      66.00        48.34        10.92        -23.49
4   27    -170.00         6.30         2.97         -0.46
5   30      51.22       152.95        55.76         -0.83
単レンズデータ
レンズ  始面  焦点距離
1       1   -420.28
2       3    551.96
3       5    562.05
4       7    752.94
5       9    764.42
6      11    -42.97
7      13    -41.09
8      15     40.78
9      16    -68.52
10      18    133.26
11      20    179.77
12      22    182.19
13      23   -137.66
14      25    203.75
15      27    -77.13
16      28    138.02
17      31    -42.32
18      32     42.41
19      34    -23.35
20      35     60.95
21      37    -35.67
22      38     36.51
23      40    254.68
24      42     57.58
25      44    -38.75
26      45     45.54
27      47    155.28
28      48   -149.67
29      50    217.67
30      52      0.00
31      53      0.00
（数値実施例２）
単位 mm
面データ
面番号       r        d      nd         vd       有効径
1       5463.548    6.00   1.83400    37.2      195.37
2        361.183    2.50                        195.06
3        365.430   23.10   1.43387    95.1      196.23
4       -724.067   25.30                        196.65
5        359.015   23.80   1.43387    95.1      200.44
6       -920.716    0.10                        199.95
7        257.549   16.60   1.43387    95.1      193.39
8        762.140    1.00                        191.76
9        202.922   14.90   1.49700    81.5      183.26
10        430.117  (可変)                        181.45
11*      -818.817    2.20   2.00330    28.3       45.34
12         54.770    9.50                         40.19
13        -41.344    1.45   1.81600    46.6       39.59
14        117.482    1.30                         41.00
15        205.758    7.05   0.00000    17.5       41.75
16        -77.096    0.50                         43.11
17       -242.758    1.90   1.72916    54.7       44.02
18        187.135  (可変)                         45.22
19        163.058   14.30   1.49700    81.5       80.18
20       -142.713    0.10                         81.09
21        110.273   11.00   1.43875    94.9       82.57
22*      -311.929    0.10                         82.23
23        318.256    2.00   1.76182    26.5       81.41
24        113.457   12.00   1.43875    94.9       79.83
25       -291.197    0.75                         79.59
26        183.877    8.00   1.49700    81.5       77.28
27*      -503.430  (可変)                         76.57
28       -805.712    1.40   1.77250    49.6       43.32
29         95.576  (可変)                         41.78
30(絞り)    ∞        5.00                         29.70
31       -211.323    1.40   1.88300    40.8       28.17
32         76.748    0.20                         27.81
33         36.782    3.05   1.84666    23.8       28.00
34        125.832    7.00                         27.67
35        -33.712    1.40   1.85026    32.3       26.26
36      -1772.977    1.00                         27.02
37       -477.321    5.61   1.84666    23.8       27.31
38        -33.945    1.80   1.78590    44.2       27.89
39        -85.357    1.00                         28.55
40          ∞      13.89   1.67003    47.2       28.68
41        -93.978    4.50                         29.15
42        -51.309    3.53   1.48749    70.2       28.60
43        -33.762    0.70                         28.81
44        510.271    1.60   1.80000    29.8       27.39
45         25.047    4.84   1.48749    70.2       26.29
46         82.462    1.20                         26.29
47        147.629    4.65   1.51823    58.9       26.40
48        -43.305    1.60   1.83400    37.2       26.48
49        -44.870    0.20                         26.71
50         36.688    3.86   1.48749    70.2       25.51
51        198.185    5.00                         24.69
52          ∞      33.00   1.60859    46.4       60.00
53          ∞      13.20   1.51633    64.2       60.00
54          ∞      10.00                         60.00
像面        ∞   
非球面データ
第11面
K =-2.79830e+001  A 4= 1.39034e-006  A 6= 3.21946e-010  A 8=-2.12778e-012  A10= 5.05261e-015  A12=-2.36020e-018  
第22面
K = 0.00000e+000  A 4= 7.33646e-007  A 6=-1.80747e-010  A 8= 1.17959e-013  A10=-4.44244e-017  A12= 6.93481e-021  
第27面
K = 0.00000e+000  A 4=-2.94099e-007  A 6= 6.68256e-011  A 8= 1.13263e-013  A10=-1.37570e-016  A12= 4.31274e-020  
各種データ
ズーム比     90.00 
広角     中間     望遠
焦点距離       8.90    13.84   801.00  
Fナンバー      1.82     1.81     4.10  
半画角         31.72    21.67     0.39  
像高           5.50     5.50     5.50  
レンズ全長   619.07   619.07   619.07  
BF            10.00    10.00    10.00  
d10            2.00    30.35   196.21  
d18          286.91   238.39     9.51  
d27           10.16     7.40    84.20  
d29            3.92    26.84    13.07  
入射瞳位置   126.51   177.23   10568.62  
射出瞳位置  -711.41  -711.41  -711.41  
前側主点位置 135.30   190.81   10480.26  
後側主点位置   1.10    -3.84  -791.00  
ズームレンズ群データ
群  始面    焦点距離  レンズ構成長  前側主点位置  後側主点位置
1    1     260.00       113.30        64.90        -18.79
2   11     -26.50        23.90         4.21        -13.33
3   19      66.00        48.25        14.76        -20.13
4   28    -110.00         1.40         0.70         -0.08
5   31      57.86       119.23        53.44        -12.32
単レンズデータ
レンズ  始面  焦点距離
1       1   -461.04
2       3    561.96
3       5    597.21
4       7    885.52
5       9    754.26
6      11    -50.68
7      13    -37.13
8      15     58.42
9      17   -144.03
10      19    155.09
11      21    186.71
12      23   -230.37
13      24    187.32
14      26    271.25
15      28   -110.00
16      31    -63.25
17      33     59.84
18      35    -40.14
19      37     42.49
20      38    -72.45
21      40    139.56
22      42    189.31
23      44    -32.71
24      45     71.56
25      47     64.89
26      48   -2774.99
27      50     91.33
28      52      0.00
29      53      0.00
（数値実施例３）
単位 mm
面データ
面番号       r        d      nd         vd       有効径
1       7483.698    6.00   1.83400    37.2      194.22
2        367.131    2.00                        193.12
3        374.503   23.50   1.43387    95.1      193.97
4       -711.789   22.98                        194.55
5        392.862   20.00   1.43387    95.1      198.18
6      -1068.349    0.10                        197.92
7        243.114   20.30   1.43387    95.1      192.42
8       2037.813    0.93                        191.31
9        166.124   16.00   1.43875    94.9      177.71
10        336.092  (可変)                        176.20
11*      -374.160    2.20   2.00330    28.3       45.65
12         43.803   10.00                         39.68
13        -44.012    1.45   1.81600    46.6       39.30
14        107.567    1.12                         41.10
15        135.961    7.10   0.00000    17.5       42.53
16        -77.925    1.80   1.69680    55.5       43.67
17       -157.168  (可変)                         45.26
18*        92.182   14.50   1.49700    81.5       75.24
19       -210.456    0.10                         75.43
20        131.357    9.84   1.49700    81.5       74.68
21       -288.714    0.20                         74.17
22        199.647    8.90   1.49700    81.5       71.13
23       -166.941    2.20   1.84666    23.8       70.20
24        445.294    0.50                         68.13
25        194.863    6.08   1.49700    81.5       67.29
26*      -212.146  (可変)                         66.60
27      -1274.270    1.40   1.88300    40.8       40.84
28         56.577    3.83   1.80518    25.4       39.22
29        176.192  (可変)                         38.80
30(絞り)    ∞       5.00                         27.27
31        -35.205    1.61   1.88300    40.8       26.37
32        537.083    4.47   1.80809    22.8       27.20
33        -48.781    2.89                         27.66
34       -194.140    1.80   1.88300    40.8       27.16
35        151.411    5.95                         27.17
36      -1752.268    1.50   1.72916    54.7       28.07
37         84.486    2.77   1.80518    25.4       28.36
38       -841.981    2.21                         28.49
39      -2902.411   14.20   1.62041    60.3       28.78
40        -84.326    4.51                         29.84
41       -374.173    5.23   1.51823    58.9       29.34
42        -45.700    0.45                         29.24
43       -163.912    1.50   1.83400    37.2       28.29
44         34.002    6.78   1.51633    64.1       27.55
45        -49.281    1.15                         27.57
46        843.054    5.52   1.48749    70.2       26.61
47        -39.436    1.50   1.83400    37.2       25.93
48       -154.919    0.25                         25.83
49         46.802    4.34   1.48749    70.2       25.31
50       -120.000    5.00                         24.68
51          ∞      33.00   1.60859    46.4       50.00
52          ∞      13.20   1.51633    64.2       50.00
53          ∞       7.00                         50.00
像面        ∞   
非球面データ
第11面
K =-4.79829e-008  A 4= 1.14555e-006  A 6= 2.16538e-010  A 8=-1.50573e-012  A10= 2.73258e-015  A12=-1.71264e-018  
第18面
K = 0.00000e+000  A 4=-5.00405e-008  A 6= 9.25509e-011  A 8=-5.93355e-014  A10= 4.69683e-017  A12=-1.56916e-020  
第26面
K = 0.00000e+000  A 4= 8.78841e-007  A 6= 2.18589e-010  A 8=-2.93906e-013  A10= 3.44972e-016  A12=-1.28740e-019  
各種データ
ズーム比     80.00 
広角     中間     望遠
焦点距離       8.70    16.48   696.00  
Fナンバー      1.74     1.74     3.60  
半画角          32.30    18.46     0.45  
像高           5.50     5.50     5.50  
レンズ全長   587.59   587.59   587.59  
BF             7.00     7.00     7.00  
d10            2.19    48.24   179.32  
d17          258.59   195.99     7.66  
d26            8.67     6.83    44.87  
d29            3.28    21.66    40.88  
入射瞳位置   124.96   222.62   10869.93  
射出瞳位置   1206.92   1206.92   1206.92  
前側主点位置 133.72   239.33   11969.64  
後側主点位置  -1.70    -9.48  -689.00  
ズームレンズ群データ
群  始面    焦点距離  レンズ構成長  前側主点位置  後側主点位置
1    1     240.00       111.82        61.65        -20.62
2   11     -27.00        23.67         2.20        -16.00
3   18      65.00        42.32        10.41        -19.20
4   27    -150.00         5.23         2.12         -0.72
5   30      46.76       124.83        48.63         -9.95
単レンズデータ
レンズ  始面  焦点距離
1       1   -460.16
2       3    567.89
3       5    663.13
4       7    632.48
5       9    725.94
6      11    -38.66
7      13    -37.92
8      15     51.82
9      16   -222.94
10      18    130.69
11      20    182.55
12      22    183.88
13      23   -141.77
14      25    204.78
15      27    -60.96
16      28    101.10
17      31    -37.15
18      32     54.96
19      34    -95.55
20      36   -110.02
21      37     94.61
22      39    139.17
23      41     99.51
24      43    -33.44
25      44     39.93
26      46     77.18
27      47    -63.41
28      49     69.43
29      51      0.00
30      52      0.00
（数値実施例４）
単位 mm
面データ
面番号       r        d      nd         vd       有効径
1      -4797.504    6.00   1.83400    37.2      198.04
2        390.534    2.00                        194.78
3        414.125   21.50   1.43387    95.1      195.45
4       -714.454   24.14                        196.00
5        593.695   19.50   1.43387    95.1      201.51
6       -712.548    0.10                        201.48
7        240.686   25.00   1.43387    95.1      197.59
8          ∞       1.62                        196.24
9        160.500   16.20   1.43875    94.9      180.68
10        305.437  (可変)                        179.29
11*      -214.863    2.20   2.00330    28.3       47.93
12         69.851    8.60                         43.13
13        -62.692    1.45   1.81600    46.6       41.83
14        110.878    1.44                         41.37
15        150.339    7.10   0.00000    17.5       41.72
16        -65.706    1.80   1.72916    54.7       42.31
17        138.620  (可変)                         43.86
18*        96.722   14.50   1.49700    81.5       80.34
19       -243.052    0.10                         80.64
20        134.803   14.00   1.49700    81.5       80.64
21       -169.022    0.20                         80.01
22        252.868    9.22   1.43875    94.9       75.39
23       -163.420    2.20   1.84666    23.8       74.33
24       1203.533    0.50                         72.45
25        179.286    6.08   1.49700    81.5       70.87
26*      -350.712  (可変)                         70.01
27      -1977.439    1.40   1.88300    40.8       42.39
28         66.155    3.83   1.80518    25.4       40.76
29        160.692  (可変)                         40.14
30(絞り)    ∞       5.00                         28.95
31        -49.799    1.61   1.88300    40.8       27.73
32         67.783    3.97   1.80809    22.8       28.09
33       -233.634    3.39                         28.27
34       -311.621    1.80   1.88300    40.8       28.49
35      -1606.059    5.95                         28.65
36       -460.342    1.50   1.72916    54.7       29.40
37         47.361    2.77   1.80518    25.4       29.82
38        118.931    2.21                         29.90
39         41.428   14.20   1.62041    60.3       31.36
40        919.972    5.51                         30.06
41        760.857    4.00   1.51823    58.9       29.13
42       -180.314    0.45                         28.73
43        220.062    1.50   1.83400    37.2       28.32
44         28.125    7.80   1.51633    64.1       27.37
45        -69.112    1.15                         27.30
46        112.637    5.52   1.48749    70.2       26.49
47        -27.522    1.50   1.83400    37.2       26.14
48        -51.627    0.25                         26.19
49        292.717    3.30   1.48749    70.2       25.24
50       -120.000    5.00                         24.48
51          ∞      33.00   1.60859    46.4       50.00
52          ∞      13.20   1.51633    64.2       50.00
53          ∞       7.10                         50.00
像面        ∞   
非球面データ
第11面
K = 4.94607e+001  A 4= 1.75621e-006  A 6= 3.14737e-010  A 8= 4.20809e-013  A10=-1.79283e-016  A12= 5.46452e-019  
第18面
K = 0.00000e+000  A 4=-1.12015e-007  A 6= 4.37353e-011  A 8=-8.02595e-014  A10= 5.27808e-017  A12=-1.34952e-020  
第26面
K = 0.00000e+000  A 4= 7.55305e-007  A 6= 6.54718e-011  A 8=-1.11234e-013  A10= 1.28238e-016  A12=-5.03422e-020  
各種データ
ズーム比     95.00 
広角     中間     望遠
焦点距離       8.80    14.90   836.00  
Fナンバー      1.76     1.76     4.30  
半画角          32.01    20.26     0.38  
像高           5.50     5.50     5.50  
レンズ全長   613.64   613.64   613.64  
BF             7.10     7.10     7.10  
d10            2.36    39.25   189.62  
d17          278.18   223.50    10.21  
d26            7.29     2.67    56.81  
d29            3.45    25.86    34.64  
入射瞳位置   128.73   199.74   13047.77  
射出瞳位置  -1378.45  -1378.45  -1378.45  
前側主点位置 137.47   214.47   13379.35  
後側主点位置  -1.70    -7.80  -828.90  
ズームレンズ群データ
群  始面    焦点距離  レンズ構成長  前側主点位置  後側主点位置
1    1     250.00       116.06        66.62        -17.97
2   11     -26.50        22.59         4.67        -11.12
3   18      66.00        46.80        11.70        -21.42
4   27    -150.00         5.23         2.29         -0.55
6   30      53.05       124.58        51.08         -9.05
単レンズデータ
レンズ  始面  焦点距離
1       1   -430.04
2       3    606.23
3       5    747.95
4       7    552.55
5       9    743.58
6      11    -51.90
7      13    -48.65
8      15     47.82
9      16    -60.64
10      18    140.80
11      20    152.79
12      22    227.22
13      23   -168.15
14      25    238.92
15      27    -72.05
16      28    135.91
17      31    -32.12
18      32     64.74
19      34   -435.62
20      36    -58.56
21      37     95.19
22      39     69.22
23      41    280.56
24      43    -38.56
25      44     39.66
26      46     45.81
27      47    -72.28
28      49    174.45
29      51      0.00
30      52      0.00
（数値実施例５）
単位 mm
面データ
面番号       r        d      nd         vd       有効径
1       5389.599    6.00   1.83400    37.2      206.62
2        361.847    2.00                        199.32
3        371.219   22.50   1.43387    95.1      198.99
4       -824.917   25.00                        198.07
5        384.494   22.00   1.43387    95.1      201.42
6       -840.051    0.10                        201.19
7        239.168   19.30   1.43387    95.1      194.65
8       1354.723    0.80                        193.75
9        182.211   14.20   1.49700    81.5      181.57
10        316.878  (可変)                        179.37
11*      4468.630    2.20   2.00330    28.3       48.67
12         48.651   10.60                         42.41
13        -48.458    1.45   1.81600    46.6       41.45
14        115.133    1.44                         41.64
15        159.618    6.10   0.00000    17.5       41.97
16        -81.107    1.80   1.69680    55.5       42.06
17       1798.708  (可変)                         41.90
18*        76.477   12.72   1.49700    81.5       72.04
19       -454.467    0.10                         72.01
20        127.594    9.84   1.49700    81.5       71.35
21       -253.173    0.20                         70.77
22        163.129    9.22   1.49700    81.5       67.35
23       -170.226    2.20   1.84666    23.8       66.10
24        450.089    0.50                         63.99
25        138.796    6.08   1.49700    81.5       62.59
26*      -240.519  (可変)                         61.65
27        812.833    1.40   1.88300    40.8       33.87
28         64.475    3.83   1.80518    25.4       32.70
29        164.979  (可変)                         31.84
30(絞り)    ∞        5.00                         22.34
31        -44.387    1.61   1.88300    40.8       20.55
32         41.659    3.97   1.80809    22.8       20.49
33        -76.555    3.39                         20.51
34        -55.823    1.80   1.88300    40.8       19.83
35        244.069    5.95                         20.01
36       -107.382    1.50   1.72916    54.7       20.98
37         91.660    2.77   1.80518    25.4       21.49
38        561.887    2.21                         21.87
39        249.183   14.20   1.62041    60.3       22.69
40       -212.154    5.51                         25.07
41        107.903    5.23   1.51823    58.9       26.49
42        -43.463    0.45                         26.61
43      -1277.583    1.50   1.83400    37.2       26.33
44         32.518    5.78   1.51633    64.1       26.26
45        -81.234    1.15                         26.58
46        217.095    5.52   1.48749    70.2       26.81
47        -32.435    1.50   1.83400    37.2       26.85
48        -56.086    0.25                         27.35
49         75.787    4.34   1.48749    70.2       27.09
50       -120.000    5.00                         26.68
51          ∞      33.00   1.60859    46.4       50.00
52          ∞      13.20   1.51633    64.2       50.00
53          ∞       7.00                         50.00
像面        ∞   
非球面データ
第11面
K = 1.39027e+001  A 4= 7.68209e-007  A 6= 1.68981e-010  A 8=-8.65620e-013  A10= 1.63113e-015  A12=-9.37172e-019  
第18面
K = 0.00000e+000  A 4= 1.60433e-008  A 6= 7.61094e-011  A 8=-5.40381e-014  A10= 4.34443e-017  A12=-1.42954e-020  
第26面
K = 0.00000e+000  A 4= 1.43192e-006  A 6= 2.24400e-010  A 8=-2.54087e-013  A10= 3.43003e-016  A12=-9.78251e-020  
各種データ
ズーム比     85.00 
広角     中間     望遠
焦点距離       8.30    10.63   705.50  
Fナンバー      1.84     1.84     3.60  
半画角          33.53    27.37     0.45  
像高           5.50     5.50     5.50  
レンズ全長   596.12   596.12   596.12  
BF             7.00     7.00     7.00  
d10            1.40    22.95   185.62  
d17          266.96   241.00     8.35  
d26           10.22     7.24    57.60  
d29            4.13    11.52    31.13  
入射瞳位置   125.45   163.12   11176.86  
射出瞳位置   125.52   125.52   125.52  
前側主点位置 134.33   174.70   16082.05  
後側主点位置  -1.30    -3.63  -698.50  
ズームレンズ群データ
群  始面    焦点距離  レンズ構成長  前側主点位置  後側主点位置
1    1     250.00       111.90        63.30        -19.05
2   11     -26.50        23.59         4.55        -13.04
3   18      60.00        40.86        10.00        -18.79
4   27    -200.00         5.23         2.99          0.13
5   30      32.07       124.83        43.36          2.26
単レンズデータ
レンズ  始面  焦点距離
1       1   -462.40
2       3    591.96
3       5    609.74
4       7    664.27
5       9    831.01
6      11    -48.63
7      13    -41.42
8      15     56.04
9      16   -110.86
10      18    132.38
11      20    171.68
12      22    168.67
13      23   -144.22
14      25    177.51
15      27    -78.92
16      28    128.05
17      31    -23.99
18      32     33.55
19      34    -51.01
20      36    -67.31
21      37    134.43
22      39    186.17
23      41     60.26
24      43    -37.76
25      44     45.60
26      46     58.11
27      47    -94.37
28      49     95.66
29      51      0.00
30      52      0.00
（数値実施例６）
単位 mm
面データ
面番号       r        d      nd         vd       有効径
1       10527.308    6.00   1.83400    37.2      190.00
2        339.773    2.00                        189.84
3        339.926   22.00   1.43387    95.1      190.93
4      -1180.999   25.02                        191.62
5        689.949   20.00   1.43387    95.1      197.05
6       -513.721    0.10                        197.10
7        303.314   17.00   1.43387    95.1      193.35
8       2541.317    2.91                        192.44
9        164.205   21.00   1.49700    81.5      180.99
10        474.005  (可変)                        179.36
11*      6450.063    2.20   2.00330    28.3       46.69
12         49.658   10.00                         41.39
13        -50.012    1.45   1.81600    46.6       40.57
14        150.627    7.70   0.00000    17.5       41.05
15        -78.157    2.00                         41.84
16        -66.478    2.00   1.69680    55.5       42.11
17      -1326.160  (可変)                         44.11
18         88.190   17.00   1.49700    81.5       80.63
19*      -155.078    0.10                         80.73
20         91.159   13.00   1.43875    94.9       79.20
21      -1604.215    0.10                         77.93
22        148.806    2.00   1.80809    22.8       74.93
23         74.192   15.00   1.43875    94.9       71.48
24       -606.627    0.50                         69.52
25        194.059    5.48   1.43875    94.9       66.63
26*     -2301.024  (可変)                         64.67
27        916.794    1.40   1.77250    49.6       39.79
28         78.446    3.89   1.92286    18.9       38.36
29         97.437  (可変)                         37.02
30(絞り)    ∞        5.00                         23.93
31        -68.491    1.40   1.88300    40.8       22.18
32         70.623    4.67   1.92286    18.9       21.97
33       -126.307    2.00                         21.74
34        -47.793    1.40   1.88300    40.8       21.36
35         75.174    8.95                         21.57
36         96.263    1.50   1.72916    54.7       25.03
37         78.013    4.77   1.80518    25.4       25.21
38       -161.018    4.21                         25.49
39        -32.718    1.80   1.72000    43.7       25.55
40         68.811    7.71   1.58267    46.4       27.66
41        -39.952    7.00                         29.21
42      -5764.109    6.33   1.51823    58.9       31.58
43        -40.005    0.22                         32.06
44        114.293    1.50   1.83400    37.2       31.62
45         28.473    9.00   1.51633    64.1       30.90
46       -124.261    2.00                         31.22
47        246.939    5.00   1.48749    70.2       31.26
48        -49.974    1.50   1.85026    32.3       31.19
49       -324.249    0.20                         31.56
50         67.732    6.04   1.48749    70.2       31.82
51        -59.836    8.00                         31.65
52          ∞      33.00   1.60859    46.4       50.00
53          ∞      13.20   1.51633    64.2       50.00
54          ∞      10.00                         50.00
像面        ∞   
非球面データ
第11面
K = 7.23170e+004  A 4= 2.23679e-007  A 6= 6.76661e-010  A 8=-3.65222e-012  A10= 7.85270e-015  A12=-6.36331e-018  
第19面
K = 0.00000e+000  A 4= 3.41580e-007  A 6= 1.44719e-010  A 8=-1.65687e-013  A10= 4.58673e-017  A12= 3.96172e-021  
第26面
K = 0.00000e+000  A 4= 7.86282e-007  A 6= 7.07035e-011  A 8=-2.41514e-013  A10= 9.53990e-016  A12=-5.60321e-019  
各種データ
ズーム比     72.00 
広角     中間     望遠
焦点距離       9.50    16.16   684.00  
Fナンバー      1.82     1.82     3.60  
半画角          30.07    18.80     0.46  
像高           5.50     5.50     5.50  
レンズ全長   625.13   625.13   625.13  
BF            10.00    10.00    10.00  
d10            4.57    46.57   171.98  
d17          264.36   212.33     6.00  
d26            5.00     2.95    77.30  
d29            4.96    17.04    23.61  
入射瞳位置   134.14   222.45   9950.46  
射出瞳位置   130.07   130.07   130.07  
前側主点位置 144.40   240.79   14530.85  
後側主点位置   0.50    -6.16  -674.00  
ズームレンズ群データ
群  始面    焦点距離  レンズ構成長  前側主点位置  後側主点位置
1    1     238.00       116.02        69.02        -15.59
2   11     -28.00        25.35         4.85        -13.18
3   18      63.00        53.18        12.46        -26.22
4   27    -150.00         5.29         3.78          0.96
5   30      34.25       136.40        46.77          2.18
単レンズデータ
レンズ  始面  焦点距離
1       1   -418.43
2       3    609.52
3       5    680.43
4       7    790.03
5       9    492.92
6      11    -49.47
7      13    -45.63
8      14     53.84
9      16   -100.08
10      18    115.47
11      20    196.57
12      22   -183.44
13      23    151.31
14      25    407.15
15      27   -110.60
16      28    392.02
17      31    -38.96
18      32     49.04
19      34    -32.72
20      36   -582.10
21      37     65.25
22      39    -30.41
23      40     44.32
24      42     77.39
25      44    -45.54
26      45     45.62
27      47     85.44
28      48    -69.15
29      50     65.98
30      52      0.00
31      53      0.00
【０１００】
【表１】
2016048319.tif 000003
【符号の説明】
【０１０１】
Ｕ１  第１レンズ群、Ｕ２  第２レンズ群、Ｕ３  第３レンズ群、Ｕ４  第４レンズ群、
Ｕ５  第５レンズ群、ＳＰ：絞り、ＤＧ  ガラスブロック、ＩＰ  撮像面
【図１】
2016048319.tif 000004
【図３】
2016048319.tif 000005
【図５】
2016048319.tif 000006
【図７】
2016048319.tif 000007
【図９】
2016048319.tif 000008
【図１１】
2016048319.tif 000009
【図１３】
2016048319.tif 000010
【図１４】
2016048319.tif 000011
【図１５】
2016048319.tif 000012
【図２】
2016048319.tif 000013
【図４】
2016048319.tif 000014
【図６】
2016048319.tif 000015
【図８】
2016048319.tif 000016
【図１０】
2016048319.tif 000017
【図１２】
2016048319.tif 000018
【図１６】
2016048319.tif 000019